(57)【要約】【課題】頭への高いフィット感を有するとともに、また就寝中におけるズレを防ぎ、通気性の向上を図ることができる枕を提供する。【解決手段】発泡ウレタンにて形成された枕本体１０と、該枕本体１０の周囲を被覆する側材２とからなる枕において、前記枕本体１０が、中央部１１と、中央部１１の両側に配置される両側部１２とからなり、前記中央部１１と両側部１２とが、硬度の異なる発泡ウレタンにて形成されている。  また中央部１１は、両側部１２より硬度の低い発泡ウレタンである。さらに枕本体１０の長手方向に、プロファイル加工された首載部２０を設置した。【選択図】図１
2016002361.tif 000002
【特許請求の範囲】
【請求項１】
発泡ウレタンにて形成された枕本体と、該枕本体の周囲を被覆する側材とからなる枕において、前記枕本体が、中央部と、中央部の両側に配置される両側部とからなり、前記中央部と両側部とが、硬度の異なる発泡ウレタンにて形成されていることを特徴とする枕。
【請求項２】
前記中央部が、前記両側部より硬度の低い発泡ウレタンである請求項１記載の枕。
【請求項３】
前記両側部と中央部の枕長手方向の長さａとｂが、ａ：ｂ＝１：（１＋√５）／２の黄金比に基づいた比率である請求項１または２に記載の枕。
【請求項４】
前記枕本体の長手方向に、プロファイル加工された首載部を有する請求項１乃至３のうちいずれか１項に記載の枕。
【請求項５】
前記首載部が、前記両側部より硬度が低く、かつ前記中央部よりも硬度が高い発泡ウレタンである請求項４記載の枕。
【請求項６】
前記側材が、ポリエステル繊維をシリコン処理して形成される請求項１乃至５のうちいずれか１項に記載の枕。
【発明の詳細な説明】
【技術分野】
【０００１】
本発明は、頭への高いフィット感を有するとともに、就寝中におけるズレを防ぎ、さらに通気性の向上を図ることができる枕に関する。
【背景技術】
【０００２】
一般的な枕は、中材として綿やそば殻、また小形状のビーズチップ等が使用され、その中材の周囲にカバー材を被覆して使用されている。また、最近では、安価で柔軟性と加工面に優れた発泡ウレタン製の中材が幅広く用いられている。
【０００３】
枕に関連する先行技術として、頭部に対して快適な刺激が得られて、快適な睡眠をもたらすことができる枕が報告されている（例えば、特許文献１参照）。
特許文献１には、上面に開口した凹部が中央部に設けられた弾力性を有する枕本体と、この枕本体の凹部に着脱可能になっており、枕本体の上面から一部が突出するようにその凹部内に収容される芯体とを具備し、この芯体が、枕本体の凹部に収容された際に枕本体の幅方向に並んだ３つの筒体の収納部が設けられた通気性の収納袋と、各収納部にそれぞれ充填された３種類のクッション材とを有する枕が開示されている。
【先行技術文献】
【特許文献】
【０００４】
【特許文献１】特開平９−１４０５３４号公報（特許請求の範囲等）
【発明の概要】
【発明が解決しようとする課題】
【０００５】
しかしながら、上掲特許文献１に記載された枕においては、枕本体の凹部に着脱されるクッション材に、ヒノキチップやポリエチレン製のパイプ等が収納されるため、製造工程が複雑になり、コストアップに繋がるという問題がある。また、クッション材自体の硬度が高くなり、頭部へのフィット感が低下するとともに、就寝中に寝返りをうった際、枕自体がズレてしまうという問題もあった。
【０００６】
そこで本発明の目的は、上記問題点を解消して、頭への高いフィット感を有するとともに、また就寝中におけるズレを防ぎ、通気性の向上を図ることができる枕を提供することにある。
【課題を解決するための手段】
【０００７】
上記課題を解決するために、本発明の枕は、発泡ウレタンにて形成された枕本体と、該枕本体の周囲を被覆する側材とからなる枕において、前記枕本体が、中央部と、中央部の両側に配置された両側部とからなり、前記中央部と両側部とが、硬度の異なる発泡ウレタンにて形成されていることを特徴とするものである。
【０００８】
本発明の枕において、前記中央部は、前記両側部より硬度の低い発泡ウレタンであることが好ましい。
【０００９】
また、中央部と両側部の枕長手方向の長さａとｂは、ａ：ｂ＝１：（１＋√５）／２の黄金比に基づいた比率であることが好ましい。
【００１０】
また、枕本体の長手方向に、プロファイル加工された首載部を有することが好ましい。
【００１１】
また、前記首載部は、前記両側部より硬度が低く、かつ前記中央部よりも硬度が高い発泡ウレタンである。
【００１２】
さらに、前記側材が、ポリエステル繊維をシリコン処理して形成されていることが好ましい。
【発明の効果】
【００１３】
本発明によれば、使用の際、頭への高いフィット感を有するとともに、寝返りをしても枕自体がズレることがない。また、心地良い通気性を有する。
【図面の簡単な説明】
【００１４】
【図１】本発明の枕の全体斜視図である。
【図２】枕本体の長手方向断面図である。
【図３】本発明の枕の平面図である。
【図４】本発明の枕の短手方向の断面図である。
【図５】本発明の枕の使用状態平面図である。
【図６】本発明の枕の使用状態断面図である。
【発明を実施するための形態】
【００１５】
本発明の枕は、頭を載せる箇所の柔軟性を高めることでフィット感を向上させ、また就寝中におけるズレを防ぐとともに、心地よい通気性を付与させることができる。
以下、本発明における枕の実施の形態を、図面に基づいて説明する。
【００１６】
図示する本発明の好適例の枕１は、発泡ウレタンにて形成された枕本体１０と、枕本体１０の周囲を被覆する側材２とからなる。また、枕本体１０は、側面視において両側部分がやや湾曲状に盛り上がった山型形状を呈している。
【００１７】
前記枕本体１０は、頭を載せる中央部１１と、中央部１１の両側に配置される両側部１２とからなる。また特に、中央部１１と両側部１２とは、硬度の異なる発泡ウレタンにて形成されている。
【００１８】
枕本体１０の中央部１１は、両側部１２より硬度の低い発泡ウレタンで形成されていることが好ましい。これにより、頭を載せる箇所の柔軟性を高めることで、フィット感を向上させることできる。また、中央部１１の両側に硬度の高い両側部１２が配置されているため、寝返りをした際でも頭部の移動が少なくなり、枕本体１０のズレを防ぐことができる。さらに、上記の組み合わせとすることで、高いフィット感と安定性が得られ、優れた安眠効果を得ることができる。
【００１９】
また、図２に示すように、中央部１１と両側部１２の枕長手方向の長さは、黄金比に基いて算出した幅比とされることが好ましい。例えば、両側部１２の長手方向長さａを１２〜１４ｃｍとした場合、中央部１１の長さｂは２１〜２４ｃｍで形成される。
【００２０】
上記の比率は、本出願人が鋭意研究し実験して得られたもので、中央部１１と両側部１２の長手方向の長さを上述の比率とすることにより、寝返りの際の頭の移動範囲が理想的になるとともに、枕本体１０のズレを好適に軽減でき、さらに、外観面においても枕本体１０に安定した美観がもたらされる。
【００２１】
また他の好適例として、枕本体１０の長手方向に、プロファイル加工された首載部２０を設置することが好ましい。この好適例においては、首載部２０は枕本体１０の長手方向であって、枕本体１０の湾曲部の上部に設置されている。
【００２２】
首載部２０は、表面に複数の凹凸形状の湾曲部２１を形成するプロファイル加工が施されており、程よい通気性とツボ刺激効果を付与することができる。また、図４に示すように、首載部２０の端部には立設部２２が形成されているため、頭と首の中間部分のフィット感と通気性をより高めることができる。
【００２３】
また、首載部２０は、両側部より硬度が低く中央部よりも硬度が高い発泡ウレタンであることが好ましい。上記硬度とすることで、理想的なフィット感、通気性、ツボ刺激効果が得られる。
【００２４】
また、更に他の好適例として、側材２は、ポリエステル繊維をシリコン処理して形成される素材で形成されていることが好ましい。ポリエステル繊維をシリコン処理して形成される綿は、一般的にシリコンフィル綿と呼ばれ、羽毛のようなふんわりとした柔らかさと、弾力のある化学繊維を形成することができる。側材２をシリコンフィル綿とすることで、耐久性と復元力に優れて心地よい使用感が実現できる。
【００２５】
本発明の枕は、上述の構成とすることにより、使用の際、頭へのフィット感が高まるとともに、寝返りをしても枕自体がズレることがない。また、枕本体の長手方向に首載部を設置することにより、首周囲の通気性も高めることができる。
【符号の説明】
【００２６】
１  枕
２  側材
１０  枕本体
１１  中央部
１２  両側部
２０  首載部
２１  湾曲部
２２  立設部
【図１】
2016002361.tif 000003
【図３】
2016002361.tif 000004
【図４】
2016002361.tif 000005
【図５】
2016002361.tif 000006
【図６】
2016002361.tif 000007
【図２】
2016002361.tif 000008